(57)【要約】【課題】意図しない電源投入を抑止すると共に、短時間での電源投入を可能とする撮影装置を提供する。【解決手段】被写体を撮影する撮影手段と、当該撮影装置に電源を投入する際に接触される接触面を有する被接触手段と、前記接触面に前記ユーザが接触しているか否かを判断する接触判断手段（ステップ１０１）と、前記接触判断手段により前記ユーザが接触していると判断されると前記撮影手段による撮影が可能なように当該撮影装置を起動する起動手段（ステップ１０２）と、を有する。【選択図】図５
2008083373.tif 000002
【特許請求の範囲】
【請求項１】
被写体を撮影する撮影手段と、
当該撮影装置に電源を投入する際に接触される接触面を有する被接触手段と、
前記接触面に前記ユーザが接触しているか否かを判断する接触判断手段と、
前記接触判断手段により前記ユーザが接触していると判断されると前記撮影手段による撮影が可能なように当該撮影装置を起動する起動手段と、
を有する撮影装置。
【請求項２】
前記接触判断手段は、前記接触面の温度を検出する温度検出手段を有し、該温度検出手段により検出された温度が予め定められた範囲内の場合に前記ユーザが接触していると判断する請求項１に記載の撮影装置。
【請求項３】
前記接触判断手段は、前記接触面に接触しているユーザの指から指紋を検出する指紋検出手段を有し、該指紋検出手段により指紋が検出された場合に前記ユーザが接触していると判断する請求項１に記載の撮影装置。
【請求項４】
前記撮影手段は、
撮影装置筐体から光軸方向に伸長及び沈動することで突出長が変化可能な光学ユニットと、
前記光学ユニットの突出長を制御することにより被写体像を結像位置に合焦させる光学ユニット制御手段と、
を有し、
前記光学ユニット制御手段は、前記起動手段により当該撮影装置が起動されると前記光学ユニットを伸長すると共に所定の距離未満の被写体に対して合焦した場合に、前記光学ユニットの伸長を中止する請求項１から請求項３のいずれか１項に記載の撮影装置。
【発明の詳細な説明】
【技術分野】
【０００１】
本発明は、撮影装置に関する。
【背景技術】
【０００２】
従来より、電子機器にユーザが電源を投入するための技術として、ユーザが電源ボタンを長押しすることで電源を投入する技術がある。このような技術を採用している電子機器は、例えばデジタルカメラやカメラ付き携帯電話機、銀塩式カメラなど、比較的小型の電子機器が多い。
【０００３】
一方、このような電子機器では、その機能を実行する際に生体情報を用いるものがある。例えば、特許文献１、２には、画像情報を記憶する機能を実行するために指紋情報などを用いた技術が開示されている。また、認証機能を実行するために指紋情報を用いる携帯電話機も知られている。
【特許文献１】特開２００５−２３６７９４号公報
【特許文献２】特開２００４−１７１４８８号公報
【発明の開示】
【発明が解決しようとする課題】
【０００４】
電子機器に対して電源を投入する際に、ユーザが意図しない電源投入を回避するために、上記指紋情報などの生体情報を用いて認証した後に電源を投入する場合、まず、生体情報をユーザから取得し、取得した生体情報と予め記憶しておいた生体情報とが一致するか否かを判断する必要があるため、処理に時間がかかるという問題がある。更に上述したデジタルカメラやカメラ付き携帯電話など、電池で動作する電子機器では、このような負荷の大きい処理により電池が消耗するため好ましくない。
【０００５】
更に上述したような長押しにより電源を投入する技術では、押している時間の長さだけ電源投入までに時間がかかるという問題がある。
【０００６】
このように従来の技術では、意図しない電源投入を抑止するための処理あるいは操作に時間がかかるという問題点があった。
【０００７】
本発明は上記問題点に鑑み、意図しない電源投入を抑止すると共に、短時間での電源投入を可能とする撮影装置を提供することを目的とする。
【課題を解決するための手段】
【０００８】
上記目的を達成するために請求項１の発明は、被写体を撮影する撮影手段と、当該撮影装置に電源を投入する際に接触される接触面を有する被接触手段と、前記接触面に前記ユーザが接触しているか否かを判断する接触判断手段と、前記接触判断手段により前記ユーザが接触していると判断されると前記撮影手段による撮影が可能なように当該撮影装置を起動する起動手段と、を有する。
【０００９】
ここで、請求項１に記載の発明では、接触判断手段により当該撮影装置に電源を投入する際に接触される接触面にユーザが接触しているか否かを判断し、起動手段により、前記接触判断手段により前記ユーザが接触していると判断されると前記撮影手段による撮影が可能なように当該撮影装置を起動するので、ユーザが長押しする必要がなく、また負荷の軽い処理により実現できるので、意図しない電源投入を抑止すると共に、短時間での電源投入を可能とする撮影装置を提供することが可能となる。
【００１０】
また、請求項２の発明は、前記接触判断手段が、前記接触面の温度を検出する温度検出手段を有し、該温度検出手段により検出された温度が予め定められた範囲内の場合に前記ユーザが接触していると判断するものである。
【００１１】
ここで、請求項２の発明では、接触判断手段により温度に基づいて接触を判断することができるため、短時間での電源投入を可能とすることができる。
【００１２】
また、請求項３の発明は、前記接触判断手段が、前記接触面に接触しているユーザの指から指紋を検出する指紋検出手段を有し、該指紋検出手段により指紋が検出された場合に前記ユーザが接触していると判断するものである。
【００１３】
ここで、請求項３の発明では、接触判断手段により指紋が検出された場合に接触を判断するため、短時間での電源投入を可能とすることができる。
【００１４】
また、請求項４の発明は、前記撮影手段が、撮影装置筐体から光軸方向に伸長及び沈動することで突出長が変化可能な光学ユニットと、前記光学ユニットの突出長を制御することにより被写体像を結像位置に合焦させる光学ユニット制御手段と、を有し、前記光学ユニット制御手段が、前記起動手段により当該撮影装置が起動されると前記光学ユニットを伸長すると共に所定の距離未満の被写体に対して合焦した場合に、前記光学ユニットの伸長を中止するものである。
【００１５】
ここで、請求項４の発明では、レンズユニットの伸長中に所定の距離未満の被写体に対して合焦した場合に光学ユニットの伸長を中止するので、更にレンズを保護することができる。
【発明の効果】
【００１６】
本発明によれば、意図しない電源投入を抑止するとともに、短時間で電源投入を可能とする撮影装置を提供することができるという効果が得られる。
【発明を実施するための最良の形態】
【００１７】
以下、図面を参照して、本発明の実施の形態について詳細に説明する。
【００１８】
以下、デジタルカメラ１０の構成について説明する。まず、図１を参照して、本実施の形態に係るデジタルカメラ１０の外観上の構成を説明する。
【００１９】
デジタルカメラ１０の正面には、被写体像を結像させるためのレンズ２１と、撮影時に必要に応じて被写体を照射する光を発するストロボ４４と、撮影する被写体の構図を決定するために用いられるファインダ２０と、が備えられている。また、デジタルカメラ１０の上面には、撮影を実行する際に押圧操作されるレリーズボタン（所謂シャッターボタン）５６Ａと、電源スイッチ５６Ｂと、が備えられている。
【００２０】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２１】
そして、デジタルカメラ１０では、レリーズボタン５６Ａを半押し状態にすることによりＡＥ（Automatic Exposure、自動露出）機能が働いて露出状態（シャッタースピード、及び絞りの状態）が設定された後、ＡＦ（Auto Focus、自動合焦）機能が働いて合焦制御され、その後、引き続き全押し状態にすると露光（撮影）が行われる。また、上記ＡＥ機能は、後述するように電源投入時にも動作する。
【００２２】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃと、が備えられている。
【００２３】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅと、が更に備えられている。
【００２４】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーを含んで構成されている。
【００２５】
次に、図２を参照して、本実施の形態に係るデジタルカメラ１０の電気系の構成を説明する。
【００２６】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６と、を含んで構成されている。この光学ユニット２２は、デジタルカメラ１０の筐体から光軸方向に伸長及び沈動することで突出長が変化可能となっている。この光学ユニット２２の突出長は、後述するＣＰＵ（中央処理装置）４０により制御される。
【００２７】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０と、を含んで構成されている。
【００２８】
なお、デジタル信号処理部３０は、所定容量のラインバッファを内蔵し、入力されたデジタルデータを後述するメモリ４８の所定領域に直接記憶させる制御も行う。
【００２９】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に、各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００３０】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ４０と、撮影により得られたデジタル画像データ等を記憶するメモリ４８と、メモリ４８に対するアクセスの制御を行うメモリインタフェース４６と、を含んで構成されている。
【００３１】
更に、デジタルカメラ１０は、可搬型のメモリカード５２をデジタルカメラ１０でアクセス可能とするための外部メモリインタフェース５０と、デジタル画像データに対する圧縮処理及び伸長処理を行う圧縮・伸長処理回路５４と、を含んで構成されている。
【００３２】
なお、本実施の形態のデジタルカメラ１０では、メモリ４８としてＶＲＡＭ（Video RAM）、ＳＲＡＭ又はＤＲＡＭ、フラッシュメモリのうちのいずれか１つ以上が用いられ、メモリカード５２としてスマートメディア（Smart Media(登録商標)）が用いられている。
【００３３】
デジタル信号処理部３０、ＬＣＤインタフェース３６、ＣＰＵ４０、メモリインタフェース４６、外部メモリインタフェース５０、及び圧縮・伸長処理回路５４はシステムバスＢＵＳを介して相互に接続されている。従って、ＣＰＵ４０は、デジタル信号処理部３０及び圧縮・伸長処理回路５４の作動の制御、ＬＣＤ３８に対するＬＣＤインタフェース３６を介した各種情報の表示、メモリ４８及びメモリカード５２へのメモリインタフェース４６、外部メモリインタフェース５０を介したアクセスを各々行うことができる。
【００３４】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００３５】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。上記ズームモータにより光学ユニット２２は伸長及び沈動するようになっている。
【００３６】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ、及び絞り駆動モータは含まれるものであり、これらのモータは各々ＣＰＵ４０の制御によりモータ駆動部３４から供給された駆動信号によって駆動される。
【００３７】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００３８】
ここで本実施の形態に係る電源スイッチ５６Ｂは、指紋センサ６０と温度センサ６２とを有する。指紋センサ６０は、後述する接触面に位置する画像を例えばＣＭＯＳイメージセンサなどの撮影素子により取得するもので、その画像は例えばメモリ４８に記憶される。本実施の形態では、この指紋センサ６０が取得した画像を用いて指紋認証を行うものではなく、画像が指紋を示しているか否かだけを判断する。この処理の負荷は、指紋認証処理の負荷と比較して著しく軽いため、短時間で処理を実行することができる。なお、この処理は、一例として指紋センサ６０により取得された画像に所定の太さより細い線が複数並んでいる場合に指紋と判断する処理であるが、これに限定されるものではない。
【００３９】
また、温度センサ６２は、後述する接触面の温度を検出し、検出された温度はＣＰＵ４０により把握することができる。
【００４０】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００４１】
次に、図３を用いて本発明に特に関係する電源スイッチ５６Ｂの外観例について説明する。本実施の形態に係る電源スイッチ５６Ｂは、押圧操作型のボタン形式のものとされている。また、電源スイッチ５６Ｂは、上述したように指紋センサ６０と温度センサ６２とを有し、その外観は同図に示されるように円柱形状となっている。この円柱部分がユーザの指の押圧操作により筐体に沈動すると、指紋センサ６０と温度センサ６２がそれぞれ動作するようになっている。
【００４２】
また、上記円柱部分の上面がユーザによる接触が可能な接触面とされており、その接触面は２つの同心円を含んで構成される。ここで内側の円は、指紋センサ６０が接触面の位置の画像を取得するために透明な面となっている。この透明な面に接触された物体の画像を指紋センサ６０が取得し、当該画像が指紋を示しているか否か判断する。
【００４３】
一方、上記同心円における外側の円が温度検出面になっており、当該外側の円の温度を温度センサ６２が検出する。
【００４４】
なお、以上説明した電源スイッチ５６Ｂは、必ずしもこのようなボタン形式である必要はなく、図４に示されるように、接触面のみの構成としても良い。この場合、指紋センサ６０と温度センサ６２は常に動作している必要があるため、同図に示されるように接触面とは別に、指紋センサ６０と温度センサ６２がそれぞれ動作させるためのボタンを設けるようにしても良い。
【００４５】
また、上述した電源スイッチ５６Ｂは、指紋センサ６０と温度センサ６２とを有する構成となっているが、指紋センサ６０と温度センサ６２のいずれか一方のみを有する構成としても良い。
【００４６】
次に、本実施の形態に係るデジタルカメラ１０の撮影時における全体的な動作について簡単に説明する。
【００４７】
まず、ＣＣＤ２４は、光学ユニット２２を介した撮影を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００４８】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００４９】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって所定ビット、例えば８ビットのデジタル画像データを生成する。
【００５０】
そして、デジタル信号処理部３０は、生成した所定ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００５１】
なお、ＬＣＤ３８は、ＣＣＤ２４による連続的な撮影によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００５２】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸長処理回路５４によって所定の圧縮形式（本実施の形態では、ＪＰＥＧ形式）で圧縮した後に外部メモリインタフェース５０を介してメモリカード５２に記録する。
【００５３】
次に、各種フローチャートを用いて電源投入時においてＣＰＵ４０により実行される処理の流れについて説明する。まず、図５のフローチャートを用いて処理の全体の流れについて説明する。
【００５４】
最初のステップ１０１で、ＣＰＵ４０は、接触判断処理を実行する。この接触判断処理は、ユーザにより上記接触面が接触されていると判断されると終了する処理である。次のステップ１０２で、ＣＰＵ４０は、撮影が可能なように当該デジタルカメラ１０を起動する。そしてステップ１０３で、ＣＰＵ４０は、光学ユニット伸長処理を実行する。
【００５５】
次に、上記接触判断処理の流れについて、図６、図７のフローチャートを用いて詳細に説明する。なお、図６は、温度センサ６２を用いて判断する処理を示し、図７は指紋センサ６０を用いて判断する処理を示している。
【００５６】
最初に図６のフローチャートから説明する。ステップ２０１で、ＣＰＵ４０は、温度センサ６２からの出力信号に基づいて温度ｔを検出し、ステップ２０２で、温度ｔがＴ１からＴ２の範囲内にあるか否かを判断し、肯定判断した場合には処理を終了し、否定判断した場合には再びステップ２０１の処理を実行する。
【００５７】
なお、上述したＴ１、Ｔ２は例えばＴ１を２０度とし、Ｔ２を３５度とするなど、人の指の温度の温度センサ６２による検知範囲内を示す値とする。
【００５８】
次に図７のフローチャートについて説明する。ステップ３０１で、ＣＰＵ４０は、指紋センサ６０からの出力信号に基づいて接触面の画像を検出し、ＣＰＵ４０は、ステップ３０２で、画像が指紋を示しているか否かを判断し、肯定判断した場合には処理を終了し、否定判断した場合には再びステップ３０１の処理を実行する。
【００５９】
上記接触判断処理（図５：ステップ１０１）において、温度が所定範囲内にあり、かつ指紋が検出された場合に接触と判断する場合、上記図６、図７に示された２つの処理を実行し、いずれか一方で接触を判断する場合、対応する処理のみを実行する。
【００６０】
次に、図８のフローチャートを用いて上記光学ユニット伸長処理（図５：ステップ１０３）の流れを説明する。
【００６１】
ステップ４０１で、ＣＰＵ４０は、モータ駆動部３４に光学ユニット２２の伸長開始を指示する。これにより光学ユニット２２の伸長が行われる。伸長している間に、ＣＰＵ４０は、ステップ４０２で、所定の距離Ｌｍｍ（ミリメートル）未満の被写体に対して合焦しているか否かを判断することにより、光学ユニット２２からＬｍｍ以内に何らかの物体が存在するか否かを判断する。このＬとして、光学ユニット２２が完全に伸長した場合の光学ユニット２２の先端と筐体までの長さが挙げられる。
【００６２】
ステップ４０２で、ＣＰＵ４０が肯定判断した場合、ステップ４０４で、ＣＰＵ４０は、光学ユニット２２の伸長動作の中止をモータ駆動部３４に指示し、処理を終了する。一方、ステップ４０２で、ＣＰＵ４０が否定判断した場合、ステップ４０３で、ＣＰＵ４０は、光学ユニット２２の伸長動作が完了したか否かを判断し、肯定判断した場合には処理が終了し、否定判断した場合には再びステップ４０２の処理を実行する。
【００６３】
なお、光学ユニット２２の伸長動作の中止した後に、光学ユニット２２を沈動するようにしても良い。
【００６４】
以上説明したように本実施の形態では、被写体を撮影する撮影手段（図２：撮像系）と、当該撮影装置に電源を投入する際に接触される接触面を有する被接触手段（電源スイッチ５６Ｂ）と、前記接触面に前記ユーザが接触しているか否かを判断する接触判断手段（ステップ１０１）と、前記接触判断手段により前記ユーザが接触していると判断されると前記撮影手段による撮影が可能なように当該撮影装置を起動する起動手段（ステップ１０２）と、を有する。
【００６５】
また、前記接触判断手段は、前記接触面の温度を検出する温度検出手段（ステップ２０１）を有し、該温度検出手段により検出された温度が予め定められた範囲内の場合（ステップ２０２でＹ）に前記ユーザが接触していると判断する。
【００６６】
また、前記接触判断手段は、前記接触面に接触しているユーザの指から指紋を検出する指紋検出手段（ステップ３０１）を有し、該指紋検出手段により指紋が検出された場合（ステップ３０２でＹ）に前記ユーザが接触していると判断する。
【００６７】
また、前記撮影手段は、撮影装置筐体から光軸方向に伸長及び沈動することで突出長が変化可能な光学ユニット（光学ユニット２２）と、前記光学ユニットの突出長を制御することにより被写体像を結像位置に合焦させる光学ユニット制御手段（ＣＰＵ４０）と、を有し、前記光学ユニット制御手段は、前記起動手段により当該撮影装置が起動されると前記光学ユニットを伸長する（ステップ４０１）と共に所定の距離未満の被写体に対して合焦した場合（ステップ４０２でＹ）に、前記光学ユニットの伸長を中止する（ステップ４０４）。
【００６８】
なお、以上説明した各フローチャートにおける判断処理で用いられた各値は、その値に限定されるものではなく、ユーザによる設定、或いは仕様として適宜定めることができる。また、各フローチャートの処理の流れは一例であり、本発明の主旨を逸脱しない範囲内で処理順序を入れ替えたり、新たなステップを追加したり、不要なステップを削除したりすることができることは言うまでもない。
【００６９】
更に、本実施の形態では本発明をデジタルカメラに適用した場合について説明したが、本発明はこれに限定されるものではなく、カメラ付き携帯電話機、カメラ付きＰＤＡ（Personal Digital(Data) Assistants）、カメラ付きパソコン等の撮影機能を有する電子機器に適用できることは言うまでもない。
【図面の簡単な説明】
【００７０】
【図１】実施の形態に係るデジタルカメラの外観上の構成を示す図である。
【図２】実施の形態に係るデジタルカメラの電気系の構成を示す図である。
【図３】電源スイッチの外観例を示す図（その１）である。
【図４】電源スイッチの外観例を示す図（その２）である。
【図５】実施の形態に係る電源投入時の処理全体の流れを示すフローチャートである。
【図６】接触判断処理（温度センサを用いる処理）の流れを示すフローチャートである。
【図７】接触判断処理（指紋センサを用いる処理）の流れを示すフローチャートである。
【図８】光学ユニット伸長処理の流れを示すフローチャートである。
【符号の説明】
【００７１】
１０  デジタルカメラ
２２  光学ユニット
４０  ＣＰＵ
５６Ｂ  電源スイッチ
６０  指紋センサ
６２  温度センサ
【図１】
2008083373.tif 000003
【図２】
2008083373.tif 000004
【図３】
2008083373.tif 000005
【図４】
2008083373.tif 000006
【図５】
2008083373.tif 000007
【図６】
2008083373.tif 000008
【図７】
2008083373.tif 000009
【図８】
2008083373.tif 000010